(57)【要約】【課題】メダル汎用容器へのメダルの移し替えを行う必要を減少させる遊技機を提供する。【解決手段】メダル投入口２４の下方に設けられメダル汎用容器９０が設置できる形状を持つ下皿部８０を備える遊技機である。下皿部８０は、底部８１と底部８１の周囲を囲む壁部８２と天井部８３とを備え、壁部８２の所定幅にわたる部分の上端と天井部８３との距離はメダル汎用容器９０の高さより長い。また、下皿部８０は筐体の奥行き方向の少なくとも中ほどまで延在して形成されている。下皿部８０は、少なくともその一部が前方に引き出し可能に形成されていてもよい。【選択図】　図２
2004105600.tif 000002
【特許請求の範囲】
【請求項１】
メダルを用いる遊技機であって、
筐体と、
前記筐体の所定位置に取付けられたメダル投入口と、
前記メダル投入口の下方に設けられメダル汎用容器が設置できる形状を持つ下皿部と、を有することを特徴とする遊技機。
【請求項２】
請求項１に記載の遊技機であって、
前記下皿部は、底部と当該底部の周囲を囲む壁部とを備える、ことを特徴とする遊技機。
【請求項３】
請求項２に記載の遊技機であって、
前記下皿部は、前記底部に対向する天井部をさらに備え、
前記壁部は、少なくとも前記汎用容器を通過させる所定幅にわたる部分の上端と前記天井部との距離がメダル汎用容器の高さより長い、ことを特徴とする遊技機。
【請求項４】
請求項３に記載の遊技機であって、
前記壁部は、前記所定幅にわたる部分以外が前記所定幅にわたる部分より高い、ことを特徴とする遊技機。
【請求項５】
請求項３または４に記載の遊技機であって、
前記所定幅にわたる部分は前記筐体の前面側に位置している、ことを特徴とする遊技機。
【請求項６】
請求項１ないし５のいずれかに記載の遊技機であって、
前記下皿部は、前記筐体の奥行き方向の少なくとも中ほどまで延在して形成されている、ことを特徴とする遊技機。
【請求項７】
請求項１ないし請求項６のいずれかに記載の遊技機であって、
前記下皿部は、少なくともその一部が前方に引き出し可能に形成されている、ことを特徴とする遊技機。
【請求項８】
請求項１ないし請求項７のいずれかに記載の遊技機であって、
前記下皿部は、メダル汎用容器が設置される容器設置部と、メダルを貯留できる貯留部とをさらに備え、
前記容器設置部および前記貯留部のいずれにメダルを誘導するかを選択する選択機構をさらに備える、ことを特徴とする遊技機。
【発明の詳細な説明】
【０００１】
【発明の属する技術分野】
本発明は、メダルを貯留する下皿部を備える遊技機に関する。
【０００２】
【背景技術および発明が解決しようとする課題】
スロットマシンなどのメダルを用いる遊技機では、入賞などにより得られたメダルを蓄える下皿部を備えたものがある。そのような下皿には多くのメダルを蓄えることができる。
【０００３】
ところが、そのような遊技機において、メダルを景品などと交換する場合や、下皿部に入りきらないほどメダルが貯まった場合には、下皿部などに蓄えられたメダルを手でメダル汎用容器に移し替える必要が生じてしまう。そのような移し替え作業は遊技客にとって面倒なだけでなく、大量のメダルを扱うために手が汚れてしまうという問題があった。
【０００４】
本発明は、上記のような点に鑑みてなされたものであって、その目的は、メダル汎用容器へのメダルの移し替えを行う必要を減少させる遊技機を提供することにある。
【０００５】
【課題を解決するための手段】
（１）　本発明の遊技機は、メダルを用いる遊技機であって、筐体と、前記筐体の所定位置に取付けられたメダル投入口と、前記メダル投入口の下方に設けられメダル汎用容器が設置できる形状を持つ下皿部とを有する。
本発明によれば、メダル汎用容器が設置できる形状に下皿部が形成されているため、下皿部に設置したメダル汎用容器内にメダルが貯まるようにすることができる。したがって、メダルを景品などと交換する場合にはメダルが貯まったメダル汎用容器をそのまま運んでいけばよいし、大量のメダルが下皿部に排出された場合でもメダル汎用容器を取り替えて対応することができる。そのため、メダル汎用容器へのメダルの移し替えを行う必要が減少し、手が汚れることも少なくなる。
【０００６】
（２）　なお、前記下皿部は、底部と当該底部の周囲を囲む壁部とを備えていてもよい。これによって、下皿部にメダル汎用容器などを載置してない状態であっても、下皿部にある程度の数のメダルを蓄えることができる。
【０００７】
（３）　また、　前記下皿部は、前記底部に対向する天井部をさらに備え、前記壁部は、少なくとも前記汎用容器を通過させる所定幅にわたる部分の上端と前記天井部との距離がメダル汎用容器の高さより長くてもよい。これによって、天井部と壁部の所定幅にわたる部分との間を介してメダル汎用容器を下皿部に出し入れすることができる。
【０００８】
（４）　そして、前記壁部は、前記所定幅にわたる部分以外が前記所定幅にわたる部分より高くともよい。これによって、下皿部にメダル汎用容器などを載置してない状態であっても、下皿部にある程度の数のメダルを確実に蓄えることができる。
【０００９】
（５）　さらに、前記所定幅にわたる部分は前記筐体の前面側に位置していてもよい。これによって、天井部と前面側の壁部との間を介してメダル汎用容器を下皿部に出し入れすることができる。
【００１０】
（６）　そして、前記下皿部は、前記筐体の奥行き方向の少なくとも中ほどまで延在して形成されていてもよい。これにより、メダル汎用容器が筐体の奥まで入ることになるため、下皿部を筐体の前面側に大きく張り出させることなく、下皿部にメダル汎用容器を設置可能とできる。
【００１１】
（７）　さらに、前記下皿部は、少なくともその一部が前方に引き出し可能に形成されていてもよい。このように、下皿部の少なくとも一部が引き出し可能となっていることによって、下皿部へのメダル汎用容器などの載置や取出しを下皿部の少なくとも一部を引き出した状態で容易に行うことができる。
【００１２】
（８）　また、前記下皿部は、メダル汎用容器が設置される容器設置部と、メダルを貯留できる貯留部とをさらに備え、前記容器設置部および前記貯留部のいずれにメダルを誘導するかを選択する選択機構をさらに備えていてもよい。これによって、メダルをメダル汎用容器および貯留部のいずれに蓄えるかを必要に応じて選択することができる。
【００１３】
【発明の実施の形態】
以下、本発明の好適な実施の形態について、図面を参照しながら、さらに具体的に説明する。
【００１４】
１．　＜第１実施形態＞
【００１５】
図１は、第１実施形態に係るスロットマシン１０を示す模式的な正面図である。この図に示すように、スロットマシン１０は、直方体状の筐体１１と、メダル投入口２４と、上皿部２０と、下パネル部３０と、下皿部８０と、図示しないメダル輸送管とを備えて構成される。また、図２は、図１に示したスロットマシンの上皿部２０、下パネル部３０、下皿部８０、および下皿部８０に載置されたメダル汎用容器９０を示す斜視図である。
【００１６】
筐体１１の中央部および上部には、遊技者側に向かって臨む四角形の窓状の表示窓７２が形成されている。そして、この中央部の表示窓７２には、三個の回転リール５８の図柄６１を見ることができる図柄表示窓７３と、ゲームの進行状況に対応したグラフィック表示を行う表示装置用窓部７５とが形成されている。以下、スロットマシン１０について簡単に説明する。
【００１７】
ベットスイッチ４８は、回転リール５８の下方に位置するスイッチであって、選択するゲームの種類に応じて貯留メダル数を減じて、メダル投入に代える。スタートスイッチ７７は回転リール５８の斜め下方に位置するスイッチであって、遊技メダルの投入あるいはベットスイッチ４８の投入を条件に、リールユニット６０の駆動を開始させる。ストップスイッチ５０は、リールユニット６０の各回転リール５８の駆動を停止させるためのものである。リールユニット６０は、三個の回転リール５８から構成されている。そして、各回転リール５８は、合成樹脂からなる回転ドラムと、この回転ドラムの周囲に貼付されるテープ状のリールテープ５９とを備えている。このリールテープ５９の外周面には、複数個（例えば２１個）の図柄６１が表示されている。
【００１８】
また、図１において破線で示すように、スロットマシン１０は、メダル投入口２４から投入されるメダルを受けてこれを送り出すメダル投入装置３５、送り出されたメダルを受けて正しいメダルかどうか判別するメダルセレクタ３６、スロットマシン１０内に貯留されたメダルを払い出すためのメダル払い出しホッパ３７を内部に備えている。
【００１９】
上皿部２０は、メダル投入口２４と、メダル投入口２４に接して設けられメダルを一時的に貯留する貯留部２３と、メダル輸送管に連続する輸送管用開口部２５とを備えている。メダル投入口２４は複数のメダルを同時に投入可能に形成されている。また、上皿部２０の上部中ほど奥にはメダルを払い出すメダル払い出し口２６が設けられている。
【００２０】
下皿部８０は、図１および図２に示すように、メダル投入口２４を備える上皿部２０の下方に設けられ、一般的に用いられているほぼ全てのメダル汎用容器９０が設置できる形状を持っている。また、下皿部８０は、メダル払い出し口８４と、底部８１と、底部８１の周囲を囲む壁部８２とを備えている。したがって、下皿部８０にメダル汎用容器９０などを載置してない状態であっても、ある程度の数のメダルを下皿部８０に直接蓄えることができる。さらに、下皿部８０は、底部８１に対向する天井部８３を備えており、壁部８２の前部上端はメダル汎用容器９０を通過させる幅以上の幅にわたって天井部８３との距離がメダル汎用容器９０の高さより長くなるように形成されている。そのため、天井部８３と壁部８２の前部との間を介してメダル汎用容器９０を下皿部８０に出し入れすることができる。なお、壁部８２は、メダル汎用容器９０を通過させるための前述した幅の部分よりそれ以外の部分が高く形成されている。
【００２１】
このように、本実施形態のスロットマシン１０は、一般的なメダル汎用容器９０が設置できる形状に下皿部８０が形成されているため、下皿部８０に設置したメダル汎用容器内９０にメダルが貯まるようにすることができる。したがって、メダルを景品などと交換する場合にはメダルが貯まったメダル汎用容器９０をそのまま運んでいけばよいし、大量のメダルが下皿部８０に排出された場合でもメダル汎用容器９０を取り替えて対応することができる。そのため、メダル汎用容器９０へのメダルの移し替えを行う必要が減少し、手が汚れることも少なくなる。
【００２２】
２．　＜第２実施形態＞
【００２３】
第２実施形態のスロットマシンは、筐体の奥行き方向の少なくとも中ほどまで延在して形成されている点が第１実施形態のスロットマシンと異なる。それ以外の点は第１実施形態のスロットマシンと同様に形成されている。以下においては第２実施形態のスロットマシンが第１実施形態のスロットマシンと異なる点を主に述べる。第１実施形態と同一な部分については、図面においても第１実施形態と同一の符号を付す。
【００２４】
図３は第２実施形態のスロットマシンの上皿部２０、下パネル部３０、および下皿部８６を示す斜視図である。また、図４は、本実施形態のスロットマシンの筐体１１と、下皿部８６に載置されたメダル汎用容器９０との位置関係を模式的に示す平面図である。
【００２５】
これらの図に示すように、本実施形態の下皿部８６は、筐体１１の奥行き方向の少なくとも中ほどまで延在して形成されている。また、下皿部８６のメダル払い出し口は、図示しないが天井部８３の中央付近に形成されている。したがって、図４に示したようにメダル汎用容器９０が筐体１１の奥まで入ることになるため、下皿部８６を筐体１１の前面側に大きく張り出させることなく、下皿部８６にメダル汎用容器９０を設置可能となっている。その結果、下皿部８６やメダル汎用容器９０が遊戯者の邪魔になる可能性を低下させることができる。
【００２６】
３．　＜第３実施形態＞
【００２７】
第３実施形態のスロットマシンは下皿部が引き出し可能に形成されている点が第１実施形態のスロットマシンと異なる。それ以外の点は第１実施形態のスロットマシンと同様に形成されている。以下においては第３実施形態のスロットマシンが第１実施形態のスロットマシンと異なる点を主に述べる。第１実施形態と同一な部分については、図面においても第１実施形態と同一の符号を付す。
【００２８】
図５は第３実施形態のスロットマシンの上皿部２０、下パネル部３０、下皿部８７、および下皿部８７に載置されたメダル汎用容器９０を示す斜視図である。図５に示したように、第２実施形態のスロットマシンの下皿部８７は、前方に引き出し可能に形成されたスライドテーブル８８を備えて形成されている。なお、図５はスライドテーブル８８が幾分引き出された状態を示している。このように、第３実施形態のスロットマシンは、下皿部８７の一部であるスライドテーブル８８が引き出し可能となっていることによって、下皿部８７へのメダル汎用容器９０などの載置や取り出しをスライドテーブル７６が引き出された状態で容易に行うことができる。
【００２９】
４．　＜第４実施形態＞
【００３０】
第４実施形態のスロットマシンは下皿部が、メダル汎用容器が設置される容器設置部と、メダルを貯留できる貯留部と、容器設置部および貯留部のいずれにメダルを誘導するかを選択する選択機構とをさらに備えている点が第１実施形態のスロットマシンと異なる。それ以外の点は第１実施形態のスロットマシンと同様に形成されている。以下においては第４実施形態のスロットマシンが第１実施形態のスロットマシンと異なる点を主に述べる。第１実施形態と同一な部分については、図面においても第１実施形態と同一の符号を付す。
【００３１】
図６は第４実施形態のスロットマシンの上皿部２０、下パネル部３０、および下皿部８９を示す斜視図である。この図に示すように、第４実施形態の下皿部８９は、メダル汎用容器９０が設置される容器設置部９５と、メダルを直接貯留できる貯留部９７とを備えている。なお、本実施形態の下皿部８９においては、メダル汎用容器９０の幅方向が筐体１１の奥行き方向となる状態で、メダル汎用容器９０が容器設置部９５に載置される。
【００３２】
また、下皿部８９のメダル払い出し口は、図示しないが、容器設置部９５の上方の天井部８３の中央付近、および貯留部９７上方の天井部８３の中央付近の２箇所に形成されている。そして、第４実施形態のスロットマシンは、容器設置部９５および貯留部９７のいずれにメダルを誘導するかを選択する図示しない選択機構を備えている。すなわち、この選択機構は、容器設置部９５の上方の天井部８３の中央付近のメダル払い出し口、および、貯留部９７上方の天井部８３の中央付近のメダル払い出し口のいずれにメダルを誘導するかを選択する。そして、その切り替えは、切り替えレバー９３によって切り替えできるようになっている。これによって、メダルをメダル汎用容器および貯留部のいずれに蓄えるかを必要に応じて選択することができる。
【００３３】
５．　＜変形例＞
【００３４】
５．１　前述した各実施形態では、下皿部のメダル払い出し口へはホッパからメダルが払い出される例を示した。しかしながら、上皿部の輸送管用開口部に連続するメダル輸送管によって、輸送管用開口部と下皿部の払い出し口とを直接結び、輸送管用開口部に入れられたメダルが下皿部の払い出し口に流れ落ちるようにしてもよい。この場合、入賞時のメダルは、全てまず上皿部のメダル払い出し口から払い出される。
【００３５】
５．２　前述した各実施形態では遊技機としてのスロットマシンの形状の一例を図示したが、本発明の特徴部以外におけるスロットマシンの形状は自由に変形することができる。
【００３６】
５．３　前述した各実施形態では遊技機としてスロットマシンの例を示したが、本発明が適用される遊技機はメダルを用いる遊技機であればスロットマシンでなくともよい。
【００３７】
５．４　本発明は前述した各実施形態に限定されるものではなく、本発明の要旨の範囲内、または、特許請求の範囲の均等範囲内で、各種の変形実施が可能である。
【図面の簡単な説明】
【図１】第１実施形態に係るスロットマシンを示す模式的な正面図である。
【図２】図１に示したスロットマシンの上皿部、下パネル部、下皿部、および下皿部に載置されたメダル汎用容器を示す斜視図である。
【図３】第２実施形態のスロットマシンの上皿部、下パネル部、および下皿部を示す斜視図である。
【図４】第２実施形態のスロットマシンの筐体と、下皿部に載置されたメダル汎用容器との位置関係を模式的に示す平面図である。
【図５】第３実施形態のスロットマシンの上皿部、下パネル部、下皿部、および下皿部に載置されたメダル汎用容器を示す斜視図である。
【図６】第４実施形態のスロットマシンの上皿部、下パネル部、および下皿部を示す斜視図である。
【符号の説明】
１０　スロットマシン
１１　筐体
２０　上皿部
２４　メダル投入口
８０，８６，８７，８９　下皿部
８１　底部
８２　壁部
８３　天井部
８８　スライドテーブル
９０　メダル汎用容器
９５　容器設置部
９７　貯留部
【図１】
2004105600.tif 000003
【図２】
2004105600.tif 000004
【図３】
2004105600.tif 000005
【図４】
2004105600.tif 000006
【図５】
2004105600.tif 000007
【図６】
2004105600.tif 000008